(57)【要約】【課題】位置決め突起の嵌合方向における配置のズレを確認することができるコネクタを提供する。【解決手段】コネクタ１００は、複数のコンタクト２００と、保持部材３００と、シェル４００とを備えている。保持部材３００は、主部３２０と、舌部３７０とを有している。主部３２０には、３つ以上の位置決め部３３０が設けられている。シェル４００には、１つの孔４１２と、３つ以上の位置決め突起４５０とが形成されている。嵌合方向において、位置決め突起４５０が占める範囲は、互いに重複している。位置決め突起４５０は、嵌合方向において位置決め部３３０に夫々突き当たっている。位置決め突起４５０は、１つの第１位置決め突起４５２と、２つの第２位置決め突起４５６とを含んでいる。シェル４００を単体で見た場合、孔４１２を通して、第２位置決め突起４５６のうちの少なくとも１つを視認することができる。【選択図】図４
2019067728.tif 000002
【特許請求の範囲】
【請求項１】
嵌合方向に沿って相手側コネクタと嵌合可能なコネクタであって、
前記コネクタは、複数のコンタクトと、保持部材と、シェルとを備えており、
前記保持部材は、前記複数のコンタクトを保持しており、
前記保持部材は、主部と、平板状の舌部とを有しており、
前記主部には、３つ以上の位置決め部が設けられており、
前記舌部は、前記主部から前記嵌合方向に延びており、
前記シェルは、前記嵌合方向と直交する平面内において、前記保持部材を少なくとも部分的に囲んでおり、
前記シェルには、１つの孔と、３つ以上の位置決め突起とが形成されており、
前記孔は、前記シェルの表面上において閉じており、且つ、前記嵌合方向と直交する第１方向において前記シェルを貫通しており、
前記位置決め突起の夫々は、前記シェルの内側に向かって突出しており、
前記嵌合方向において、前記位置決め突起が占める範囲は、互いに重複しており、
前記位置決め突起は、前記嵌合方向において前記位置決め部に夫々突き当たっており、
前記位置決め突起は、１つの第１位置決め突起と、２つの第２位置決め突起とを含んでおり、
前記第１位置決め突起は、前記孔の縁の一部を構成し、且つ、前記孔に面しており、
前記シェルを単体で見た場合、前記孔を通して、前記第２位置決め突起のうちの少なくとも１つを視認することができる
コネクタ。
【請求項２】
請求項１記載のコネクタであって、
前記位置決め突起の前記嵌合方向における位置は、互いに一致している
コネクタ。
【請求項３】
請求項１又は請求項２記載のコネクタであって、
前記シェルは、前記第１方向の両面を構成する第１面及び第２面を有しており、
前記孔及び前記第１位置決め突起の夫々は、前記シェルの前記第１面に形成されており、
前記第２位置決め突起の夫々は、前記シェルの前記第２面に形成されており、
前記シェルの前記第２面は、継ぎ目を有しており、
前記第２位置決め突起は、前記嵌合方向及び前記第１方向の双方と直交する第２方向において前記継ぎ目を挟んで前記継ぎ目の両側に位置しており、
前記シェルを単体で見た場合、前記孔を通して、前記第２位置決め突起の夫々を視認することができる
コネクタ。
【請求項４】
請求項３記載のコネクタであって、
前記シェルの前記第１面には、２つの前記孔が形成されており、
前記位置決め突起は、２つの前記第１位置決め突起を含んでおり、
前記第１位置決め突起の夫々は、前記シェルの前記第１面に形成されており、
前記第１位置決め突起は、夫々、前記孔に面しており、
前記シェルを単体で見た場合、前記孔を通して、前記第２位置決め突起を夫々視認することができる
コネクタ。
【請求項５】
請求項１から請求項４までのいずれかに記載のコネクタであって、
前記保持部材には、被挟持部が設けられており、
前記シェルには、保持爪が設けられており、
前記保持爪は、前記孔の前記縁から前記孔内に延びており、
前記被挟持部は、前記嵌合方向において前記保持爪と前記第１位置決め突起とに挟まれている
コネクタ。
【請求項６】
請求項１から請求項５までのいずれかに記載のコネクタであって、
前記嵌合方向は、前後方向であり、
前記第１方向は、上下方向であり、
前記第１面は、上面であり、
前記第２面は、下面である
コネクタ。
【発明の詳細な説明】
【技術分野】
【０００１】
本発明は、相手側コネクタと嵌合可能なコネクタに関する。
【背景技術】
【０００２】
図１６及び図１７を参照すると、特許文献１には、嵌合方向（Ｘ方向）に沿って相手側コネクタ９５０と嵌合可能なコネクタ９００が開示されている。コネクタ９００は、複数のコンタクト９１０と、保持部材９２０と、シェル９３０とを備えている。保持部材９２０は、複数のコンタクト９１０を保持している。保持部材９２０は、主部９２２と、平板状の舌部９２６とを有している。主部９２２には、４つの凹部（位置決め部）９２３が設けられている。舌部９２６は、主部９２２から嵌合方向（Ｘ方向）に延びている。シェル９３０は、嵌合方向（Ｘ方向）と直交する平面内において、保持部材９２０を囲んでいる。シェル９３０には、４つの位置決め突起９３２が形成されている。位置決め突起９３２の夫々は、シェル９３０の内側に向かって突出している。嵌合方向（Ｘ方向）において、位置決め突起９３２が占める範囲は、互いに重複している。位置決め突起９３２は、凹部９２３に夫々収容されている。
【先行技術文献】
【特許文献】
【０００３】
【特許文献１】特開２００９−６４６７６号公報
【発明の概要】
【発明が解決しようとする課題】
【０００４】
特許文献１のコネクタ９００においては、位置決め突起９３２の嵌合方向（Ｘ方向）における配置が互いにズレている場合、シェル９３０に保持部材９２０を組み合わせた際に、保持部材９２０の舌部９２６の先端が上方又は下方に向いてしまう可能性がある。
【０００５】
よって本発明は、位置決め突起の嵌合方向における配置のズレを確認することができるコネクタを提供することを目的とする。
【課題を解決するための手段】
【０００６】
本発明は、第１のコネクタとして、
嵌合方向に沿って相手側コネクタと嵌合可能なコネクタであって、
前記コネクタは、複数のコンタクトと、保持部材と、シェルとを備えており、
前記保持部材は、前記複数のコンタクトを保持しており、
前記保持部材は、主部と、平板状の舌部とを有しており、
前記主部には、３つ以上の位置決め部が設けられており、
前記舌部は、前記主部から前記嵌合方向に延びており、
前記シェルは、前記嵌合方向と直交する平面内において、前記保持部材を少なくとも部分的に囲んでおり、
前記シェルには、１つの孔と、３つ以上の位置決め突起とが形成されており、
前記孔は、前記シェルの表面上において閉じており、且つ、前記嵌合方向と直交する第１方向において前記シェルを貫通しており、
前記位置決め突起の夫々は、前記シェルの内側に向かって突出しており、
前記嵌合方向において、前記位置決め突起が占める範囲は、互いに重複しており、
前記位置決め突起は、前記嵌合方向において前記位置決め部に夫々突き当たっており、
前記位置決め突起は、１つの第１位置決め突起と、２つの第２位置決め突起とを含んでおり、
前記第１位置決め突起は、前記孔の縁の一部を構成し、且つ、前記孔に面しており、
前記シェルを単体で見た場合、前記孔を通して、前記第２位置決め突起のうちの少なくとも１つを視認することができる
コネクタを提供する。
【０００７】
また、本発明は、第２のコネクタとして、第１のコネクタであって、
前記位置決め突起の前記嵌合方向における位置は、互いに一致している
コネクタを提供する。
【０００８】
また、本発明は、第３のコネクタとして、第１又は第２のコネクタであって、
前記シェルは、前記第１方向の両面を構成する第１面及び第２面を有しており、
前記孔及び前記第１位置決め突起の夫々は、前記シェルの前記第１面に形成されており、
前記第２位置決め突起の夫々は、前記シェルの前記第２面に形成されており、
前記シェルの前記第２面は、継ぎ目を有しており、
前記第２位置決め突起は、前記嵌合方向及び前記第１方向の双方と直交する第２方向において前記継ぎ目を挟んで前記継ぎ目の両側に位置しており、
前記シェルを単体で見た場合、前記孔を通して、前記第２位置決め突起の夫々を視認することができる
コネクタを提供する。
【０００９】
また、本発明は、第４のコネクタとして、第３のコネクタであって、
前記シェルの前記第１面には、２つの前記孔が形成されており、
前記位置決め突起は、２つの前記第１位置決め突起を含んでおり、
前記第１位置決め突起の夫々は、前記シェルの前記第１面に形成されており、
前記第１位置決め突起は、夫々、前記孔に面しており、
前記シェルを単体で見た場合、前記孔を通して、前記第２位置決め突起を夫々視認することができる
コネクタを提供する。
【００１０】
また、本発明は、第５のコネクタとして、第１から第４までのいずれかのコネクタであって、
前記保持部材には、被挟持部が設けられており、
前記シェルには、保持爪が設けられており、
前記保持爪は、前記孔の前記縁から前記孔内に延びており、
前記被挟持部は、前記嵌合方向において前記保持爪と前記第１位置決め突起とに挟まれている
コネクタを提供する。
【００１１】
また、本発明は、第６のコネクタとして、第１から第５までのいずれかのコネクタであって、
前記嵌合方向は、前後方向であり、
前記第１方向は、上下方向であり、
前記第１面は、上面であり、
前記第２面は、下面である
コネクタを提供する。
【発明の効果】
【００１２】
本発明のコネクタにおいては、シェルには、１つの孔と、１つの第１位置決め突起と２つの第２位置決め突起とを含む３つ以上の位置決め突起とが形成されており、シェルを単体で見た場合、縁の一部を第１位置決め突起で構成した孔を通して、第２位置決め突起のうちの少なくとも１つを視認することができるように構成されている。これにより、位置決め突起の嵌合方向における配置のズレを、シェルの孔を通して確認することができる。
【００１３】
従って、本発明のコネクタの製造において、シェル単体を試作した際に位置決め突起が嵌合方向において互いにズレていた場合、この位置決め突起のズレをシェルの孔を通して確認したうえで、ズレを補正するように金型の調整を行うことができる。加えて、この調整後の金型でシェルをプレス成型することにより、位置決め突起の嵌合方向における配置のズレを抑制することができる。これにより、シェルに保持部材を組み合わせた際にシェル内における保持部材の舌部の姿勢が正しく位置決めされる。
【図面の簡単な説明】
【００１４】
【図１】本発明の実施の形態によるコネクタを示す斜視図である。
【図２】図１のコネクタを示す正面図である。
【図３】図１のコネクタを示す上面図である。
【図４】図３のコネクタをＡ−Ａ線に沿って示す断面図である。
【図５】図３のコネクタをＢ−Ｂ線に沿って示す断面図である。
【図６】図１のコネクタを示す底面図である。
【図７】図１のコネクタを示す分解斜視図である。
【図８】図７のコネクタを示す正面図である。
【図９】図１のコネクタに含まれる、保持部材、コンタクト及びミッドプレートからなる構造体を示す斜視図である。
【図１０】図９の構造体を示す上面図である。
【図１１】図９の構造体を示す底面図である。
【図１２】図１のコネクタの変形例を示す斜視図である。
【図１３】図１２のコネクタを示す正面図である。
【図１４】図１２のコネクタを示す上面図である。
【図１５】図１２のコネクタを示す底面図である。
【図１６】特許文献１のコネクタ及び相手側コネクタを示す断面図である。
【図１７】図１６のコネクタを示す分解斜視図である。
【発明を実施するための形態】
【００１５】
図１から図６までを参照して、本発明の実施の形態によるコネクタ１００は、嵌合方向に沿って相手側コネクタ（図示せず）と嵌合可能なものである。本実施の形態において、嵌合方向はＸ方向である。また、嵌合方向は前後方向でもある。加えて、前方を＋Ｘ方向とし、後方を−Ｘ方向とする。
【００１６】
図１から図６までに示されるように、本実施の形態のコネクタ１００は、保持部材３００と、複数のコンタクト２００と、ミッドプレート２５０と、シェル４００とを備えている。
【００１７】
図４及び図５に示されるように、本実施の形態の保持部材３００は、シェル４００に取り付けられ固定されている。保持部材３００のシェル４００への取付方法については後述する。
【００１８】
図９から図１１までを参照して、本実施の形態の保持部材３００は、絶縁体からなるものであり、主部３２０と、平板状の舌部３７０と、２つの脚部３８０とを有している。
【００１９】
図２に示されるように、本実施の形態の主部３２０は、前方から見た場合、前後方向と直交する第１方向において対向する２つの直線辺と、前後方向及び第１方向の双方と直交する第２方向において対向する２つの円弧辺とを有する角丸長方形形状を有している。本実施の形態において、第１方向はＺ方向であり、第２方向はＹ方向である。また、第１方向は上下方向でもある。ここで、上方を＋Ｚ方向とし、下方を−Ｚ方向とする。図９から図１１までに示されるように、本実施の形態の主部３２０は、第２方向に長手を有するブロック状の形状を有している。
【００２０】
図９から図１１までを参照して、本実施の形態の主部３２０には、４つの凹部３２５と、２つの被挟持部３４０と、２つの保持爪収容部３５０とが設けられている。
【００２１】
図９から図１１までに示されるように、本実施の形態の凹部３２５の夫々は、前後方向において後方に凹んでいる。凹部３２５の夫々は、前後方向と直交する後壁を有しており、この後壁は位置決め部３３０として機能する。即ち、本実施の形態の主部３２０には、４つの位置決め部３３０が設けられている。４つの位置決め部３３０の嵌合方向、即ち前後方向における位置は、互いに一致している。４つの位置決め部３３０は、前後方向と直交する基準面を形成している。なお、本発明はこれに限定されず、３つ以上の位置決め部３３０が主部３２０に設けられていればよい。
【００２２】
図９から図１１までに示されるように、本実施の形態の凹部３２５は、第１凹部３２６と、第２凹部３２７とを含んでいる。第１凹部３２６の夫々は、主部３２０の前端の上端に設けられている。第２凹部３２７の夫々は、主部３２０の前端の下端に設けられている。
【００２３】
図９から図１１までに示されるように、本実施の形態の第１凹部３２６の夫々は、第１位置決め部３３２を有している。また、本実施の形態の第２凹部３２７の夫々は、第２位置決め部３３６を有している。即ち、本実施の形態の位置決め部３３０は、２つの第１位置決め部３３２と、２つの第２位置決め部３３６とを含んでいる。第１位置決め部３３２は、第２位置決め部３３６と夫々対応している。図２を参照して、第１位置決め部３３２の夫々は、上下方向において、対応する第２位置決め部３３６の上方に位置している。第１位置決め部３３２の夫々は、第２方向において、対応する第２位置決め部３３６と同じ位置に位置している。
【００２４】
図９及び図１０に示されるように、本実施の形態の被挟持部３４０の夫々は、上下方向に延びる平板形状を有している。即ち、被挟持部３４０の夫々は、前後方向において前面及び後面を有している。被挟持部３４０の前面は、第１位置決め部３３２として夫々機能する。
【００２５】
図９及び図１０に示されるように、本実施の形態の保持爪収容部３５０の夫々は、上下方向において下方に凹んでおり、主部３２０の第２方向内側に向かって下方に延びる斜面３５２を有している。保持爪収容部３５０は、被挟持部３４０と夫々対応している。保持爪収容部３５０の夫々は、前後方向において、対応する被挟持部３４０の後方に位置している。
【００２６】
図９から図１１までに示されるように、本実施の形態の舌部３７０は、主部３２０から嵌合方向、即ち前後方向に延びている。より詳しくは、本実施の形態の舌部３７０は、主部３２０の前端から前方に延びている。舌部３７０は、４つの位置決め部３３０により形成される基準面と直交している。
【００２７】
図９から図１１までに示されるように、本実施の形態の舌部３７０は、接点露出部３７２と、接続部３７４とを有している。接点露出部３７２は、上下方向と直交する平板形状を有している。即ち、接点露出部３７２は、上下方向において上面及び下面を有している。本実施の形態において、上下方向と直交する平面は、ＸＹ平面である。接点露出部３７２は、前後方向において接続部３７４の前方に位置している。即ち、接点露出部３７２の後端は、前後方向において接続部３７４の前端と接続されている。接続部３７４は、第２方向に延びる概略直方体形状を有している。図２を参照して、接続部３７４は、前方から見た場合、上下方向において対向する２つの直線辺と、第２方向において対向する２つの円弧辺とを有する角丸長方形形状を有している。上下方向において、接続部３７４のサイズは接点露出部３７２のサイズよりも大きい。より詳しくは、接続部３７４の上端は、上下方向において、接点露出部３７２の上端よりも上方に位置しており、接続部３７４の下端は、接点露出部３７２の下端よりも下方に位置している。接続部３７４は、前後方向において主部３２０の前方に位置している。即ち、接続部３７４の後端は、前後方向において主部３２０の前端と接続されている。接続部３７４の上端は、上下方向において主部３２０の第１凹部３２６の下端よりも下方に位置している。接続部３７４の下端は、上下方向において主部３２０の第２凹部３２７の上端よりも上方に位置している。第２方向において、接続部３７４の両端は、主部３２０の両端の内側に位置している。
【００２８】
図２、図９及び図１１に示されるように、本実施の形態の脚部３８０は、主部３２０の第２方向両端付近に夫々位置している。本実施の形態の脚部３８０の夫々は、主部３２０の下端から下方に延びている。
【００２９】
本実施の形態のコンタクト２００は、金属製であり、図４、図５及び図９から図１１までから理解されるように、インサート成型により保持部材３００に埋め込まれて保持されている。即ち、保持部材３００は、複数のコンタクト２００を保持している。本実施の形態のコンタクト２００は、第２方向と直交する平面内において略Ｌ字形状の断面を有している。本実施の形態において、第２方向と直交する平面は、ＸＺ平面である。
【００３０】
図４、図５、図１０及び図１１に示されるように、本実施の形態のコンタクト２００は、複数の第１コンタクト２１０と、複数の第２コンタクト２２０とを含んでいる。
【００３１】
図５に示されるように、本実施の形態の第１コンタクト２１０は、板状の第１接点部２１２と、第１被固定部２１４とを有している。第１接点部２１２は、第１コンタクト２１０の前端付近に位置している。第１被固定部２１４は、第１コンタクト２１０の後端に位置している。第１コンタクト２１０の夫々の第１接点部２１２は、保持部材３００の舌部３７０の接点露出部３７２の上面上に露出している。第１コンタクト２１０の夫々の第１被固定部２１４は、コネクタ１００の下方であって後端付近に位置している。
【００３２】
図４に示されるように、本実施の形態の第２コンタクト２２０は、板状の第２接点部２２２と、第２被固定部２２４とを有している。第２接点部２２２は、第２コンタクト２２０の前端付近に位置している。第２被固定部２２４は、第２コンタクト２２０の後端に位置している。第２コンタクト２２０の夫々の第２接点部２２２は、保持部材３００の舌部３７０の接点露出部３７２の下面上に露出している。第２コンタクト２２０の夫々の第２被固定部２２４は、第１コンタクト２１０の夫々の第１被固定部２１４よりも前方に位置している。第２コンタクト２２０の夫々の第２被固定部２２４は、保持部材３００の主部３２０の保持爪収容部３５０の後端よりも後方に位置している。第１コンタクト２１０の第１被固定部２１４と、第２コンタクト２２０の第２被固定部２２４とは、上下方向において同一のＸＹ平面上に位置している。
【００３３】
図４及び図５を参照して、第１コンタクト２１０の第１接点部２１２と、第２コンタクト２２０の第２接点部２２２とは、コネクタ１００と相手側コネクタ（図示せず）とが嵌合した際に、相手側コネクタ（図示せず）の相手側コンタクト（図示せず）と夫々接触するものである。また、第１コンタクト２１０の第１被固定部２１４と、第２コンタクト２２０の第２被固定部２２４とは、コネクタ１００を回路基板（図示せず）上に設置した際に、回路基板（図示せず）の配線パターン（図示せず）に半田付けされる部分である。
【００３４】
本実施の形態のミッドプレート２５０は、金属製であり、図４、図５及び図９から図１１までから理解されるように、インサート成型により保持部材３００に埋め込まれて保持されている。より詳しくは、本実施の形態のミッドプレート２５０は、上下方向と直交する略平板形状を有しており、上下方向において第１コンタクト２１０と第２コンタクト２２０との間に位置するように、保持部材３００に保持されている。
【００３５】
本実施の形態のシェル４００は、金属製であり、図１から図６までから理解されるように、嵌合方向、即ち前後方向と直交する平面内において、保持部材３００を囲んでいる。本実施の形態において、前後方向と直交する平面は、ＹＺ平面である。なお、本発明はこれに限定されず、シェル４００は、嵌合方向と直交する平面内において、保持部材３００を少なくとも部分的に囲んでいればよい。
【００３６】
図１から図６までに示されるように、本実施の形態のシェル４００は、上下方向の両面を構成する第１面４１０及び第２面４２０を有している。即ち、第１面４１０は、シェル４００の上面４１０であり、第２面４２０は、シェル４００の下面４２０である。第１面４１０及び第２面４２０の夫々は、上下方向と直交している。また、本実施の形態のシェル４００の前端は、開口している。即ち、コネクタ１００は、前端に開口部１５０を有している。
【００３７】
図１から図６までに示されるように、本実施の形態のシェル４００には、２つの孔４１２と、４つの位置決め突起４５０とが形成されている。また、本実施の形態のシェル４００には、継ぎ目４２２と、２つの保持爪４７０と、後壁部４８０とが設けられている。なお、本発明はこれに限定されず、シェル４００には、１つの孔４１２と、３つ以上の位置決め突起４５０とが形成されていればよい。
【００３８】
図１、図３、図４及び図５まで示されるように、本実施の形態の孔４１２は、シェル４００の第１面４１０に形成されている。即ち、シェル４００の第１面４１０には、２つの孔４１２が形成されている。孔４１２の夫々は、シェル４００の表面上において閉じており、且つ、第１方向、即ち上下方向においてシェル４００を貫通している。より詳しくは、孔４１２の夫々は、シェル４００の第１面４１０の表面上において閉じており、且つ、上下方向においてシェル４００の第１面４１０を貫通している。また、孔４１２の第２方向内側の縁は、前後方向に延びる略直線形状を有している。
【００３９】
図２、図４及び図５を参照して、本実施の形態の位置決め突起４５０の夫々は、シェル４００の内側に向かって突出している。より詳しくは、本実施の形態の位置決め突起４５０は、上下方向においてシェル４００の内側に向かって突出している。嵌合方向、即ち前後方向において、位置決め突起４５０が占める範囲は、互いに重複している。より詳しくは、位置決め突起４５０の嵌合方向、即ち前後方向における位置は、互いに一致している。
【００４０】
図２、図４及び図５を参照すると、本実施の形態の位置決め突起４５０は、嵌合方向、即ち前後方向において保持部材３００の主部３２０の凹部３２５の位置決め部３３０に夫々突き当たっている。より詳しくは、４つの位置決め突起４５０の後端と、４つの位置決め部３３０とは、前後方向において略同一のＹＺ平面上に位置している。前述のように、舌部３７０は、４つの位置決め部３３０により形成される基準面と直交しているため、シェル４００内における保持部材３００の舌部３７０の姿勢は正しく位置決めされている。
【００４１】
図２、図４及び図５を参照すると、本実施の形態の位置決め突起４５０は、２つの第１位置決め突起４５２と、２つの第２位置決め突起４５６とを含んでいる。なお、本発明はこれに限定されず、位置決め突起４５０は、１つの第１位置決め突起４５２と、２つの第２位置決め突起４５６とを含んでいればよい。即ち、シェル４００は、１つの第１位置決め突起４５２と、２つの第２位置決め突起４５６とを有していればよい。
【００４２】
図１から図５までに示されるように、本実施の形態の第１位置決め突起４５２の夫々は、シェル４００の第１面４１０に形成されている。第１位置決め突起４５２は、夫々、孔４１２の縁の一部を構成している。第１位置決め突起４５２の夫々は、対応する孔４１２に面している。より詳しくは、第１位置決め突起４５２の夫々の後側の縁は、対応する孔４１２の前側の縁の一部を構成しており、且つ、対応する孔４１２に面している。本実施の形態の第１位置決め突起４５２の夫々は、上下方向において下方に突出している。
【００４３】
図４及び図５を参照して、本実施の形態の第１位置決め突起４５２は、前後方向において第１位置決め部３３２に夫々突き当たっている。より具体的には、第１位置決め突起４５２の夫々の後端は、前後方向において対応する第１位置決め部３３２に突き当たっている。
【００４４】
図２、図４、図５及び図６に示されるように、本実施の形態の第２位置決め突起４５６の夫々は、シェル４００の第２面４２０に形成されている。本実施の形態の第２位置決め突起４５６の夫々は、上下方向において上方に突出している。第２位置決め突起４５６は、第１位置決め突起４５２と夫々対応している。第２位置決め突起４５６の夫々は、上下方向において対応する第１位置決め突起４５２の下方に位置している。また、第２位置決め突起４５６の夫々は、第２方向において、対応する第１位置決め突起４５２と同じ位置に位置している。
【００４５】
図４及び図５を参照して、本実施の形態の第２位置決め突起４５６は、前後方向において第２位置決め部３３６に夫々突き当たっている。より具体的には、第２位置決め突起４５６の夫々の後端は、前後方向において対応する第２位置決め部３３６に突き当たっている。
【００４６】
図２、図４及び図５を参照すると、本実施の形態のコネクタ１００において、シェル４００を単体で見た場合、孔４１２を通して、第２位置決め突起４５６を夫々視認することができる。即ち、シェル４００を単体で見た場合、孔４１２の夫々を通して、対応する第２位置決め突起４５６を視認することができる。即ち、シェル４００を単体で見た場合、孔４１２の夫々を通して、孔４１２に面している第１位置決め突起４５２に対応する第２位置決め突起４５６を視認することができる。これにより、位置決め突起４５０の嵌合方向、即ち前後方向における配置のズレを、シェル４００の孔４１２を通して確認することができるようになっている。より具体的には、本実施の形態のコネクタ１００においては、シェル４００を単体で見た場合、孔４１２を通して、第２位置決め突起４５６を夫々斜め後上方から視認することができ、位置決め突起４５０の前後方向における配置のズレを、シェル４００の孔４１２を通して確認することができるようになっている。なお、本発明はこれに限定されず、シェル４００を単体で見た場合、孔４１２を通して、第２位置決め突起４５６のうちの少なくとも１つを視認することができればよい。
【００４７】
図６に示されるように、本実施の形態の継ぎ目４２２は、シェル４００の第２面４２０に設けられている。即ち、シェル４００の第２面４２０は、継ぎ目４２２を有している。継ぎ目４２２は、シェル４００の第２面４２０の第２方向中央付近に位置しており、蛇行しながら前後方向に延びている。継ぎ目４２２は、第２方向において、シェル４００の第２面４２０の＋Ｙ側部分と−Ｙ側部分とを連結している。第２位置決め突起４５６は、第２方向において継ぎ目４２２を挟んで継ぎ目４２２の両側に位置している。
【００４８】
図１、図３、図４及び図５を参照すると、本実施の形態の保持爪４７０は、孔４１２と夫々対応している。本実施の形態の保持爪４７０の夫々は、対応する孔４１２の縁から対応する孔４１２内に延びている。より詳しくは、本実施の形態の保持爪４７０の夫々は、対応する孔４１２の第２方向外側の縁から、対応する孔４１２内において第２方向内側に延びている。保持爪４７０の第２方向内端は、自由端である。保持爪４７０の夫々は、前後方向において対応する孔４１２に面する第１位置決め突起４５２の後方に位置している。保持爪４７０は、保持部材３００の主部３２０の保持爪収容部３５０と夫々対応している。保持爪４７０の夫々は、上下方向において対応する保持爪収容部３５０の斜面３５２と隙間を空けて対向しており、保持爪４７０の第２方向内端は、対応する保持爪収容部３５０内に収容されている。
【００４９】
図３、図４及び図５に示されるように、保持部材３００の被挟持部３４０は、嵌合方向、即ち前後方向において保持爪４７０と第１位置決め突起４５２とに挟まれている。より詳しくは、保持部材３００の被挟持部３４０の前面は、前後方向においてシェル４００の第１位置決め突起４５２の後端と夫々接触しており、保持部材３００の被挟持部３４０の後面は、前後方向においてシェル４００の保持爪４７０の前端と夫々接触している。これにより、シェル４００は保持部材３００に対して、嵌合方向、即ち前後方向に相対移動しないように固定されている。
【００５０】
図３から図５までに示されるように、本実施の形態の後壁部４８０は、前後方向と直交する略平板形状を有しており、シェル４００の第１面４１０の後端から下方に延びている。後壁部４８０は、前後方向において保持部材３００の主部３２０の後方に位置している。
【００５１】
保持部材３００のシェル４００への取付方法を以下に詳述する。
【００５２】
図７及び図８を参照して、まず初めに、後壁部４８０Ｂ及び保持爪４７０Ｂが折り曲げられていない点を除いてシェル４００と同じ構造を有している中間体４００Ｂを準備する。次に、保持部材３００の位置決め部３３０が、中間体４００Ｂの位置決め突起４５０と、嵌合方向、即ち前後方向において夫々対向するように、保持部材３００を中間体４００Ｂの後方に配置する。この後、保持部材３００を前後方向に沿って前方に移動させると、保持部材３００の舌部３７０は中間体４００Ｂの内部に収容されて、保持部材３００の位置決め部３３０と中間体４００Ｂの位置決め突起４５０の後端とが前後方向において夫々突き当る。
【００５３】
この状態で、中間体４００Ｂの保持爪４７０Ｂの夫々の第２方向内端を下方に押し下げて保持爪４７０を形成する。これにより、中間体４００Ｂの保持爪４７０は、保持爪収容部３５０の斜面３５２と隙間を空けて対向し、中間体４００Ｂの保持爪４７０の第２方向内端は、保持部材３００の保持爪収容部３５０内に収容される。
【００５４】
このとき、保持部材３００の被挟持部３４０は、嵌合方向、即ち前後方向において保持爪４７０と第１位置決め突起４５２とに挟まれている。即ち、中間体４００Ｂは保持部材３００に対して前後方向に相対移動しないように固定されることとなる。この状態で、中間体４００Ｂの後壁部４８０Ｂを下方に折り曲げて後壁部４８０を形成することによりシェル４００を形成すると、保持部材３００の主部３２０の上部の後端はシェル４００の後壁部４８０と前後方向において対向することとなる。これにより、保持部材３００がシェル４００から後方に引き抜かれるのを更に規制することができる。
【００５５】
コネクタ１００の構成は、上述したものには限定されず、例えば、以下のような変形が可能である。
【００５６】
図１２から図１５までを参照すると、本実施の形態の変形例によるコネクタ１００Ａは、保持部材３００Ａと、複数のコンタクト２００と、ミッドプレート２５０と、シェル４００Ａとを備えている。ここで、コンタクト２００及びミッドプレート２５０は、上述した実施の形態のコンタクト２００及びミッドプレート２５０と同一形状であるので、同一の参照符号を付して詳細な説明を省略することとする。
【００５７】
図１２から図１５までを参照して、本変形例の保持部材３００Ａは、シェル４００Ａに取り付けられ固定されている。保持部材３００Ａのシェル４００Ａへの取付方法については、上述した実施の形態の保持部材３００のシェル４００への取付と同様であるので、詳細な説明は省略する。
【００５８】
図１２から図１５までを参照して、本実施の形態の保持部材３００Ａは、絶縁体からなるものであり、主部３２０Ａと、平板状の舌部３７０と、２つの脚部３８０とを有している。ここで、主部３２０Ａ以外の構成要素は、上述の実施の形態と同じである。従って、同様の構成要素については同一の参照符号を付し、詳細な説明は省略する。
【００５９】
図１２から図１５までを参照して、本実施の形態の主部３２０Ａは、前方から見た場合、上下方向において対向する２つの直線辺と、第２方向において対向する２つの円弧辺とを有する角丸長方形形状を有している。また、本実施の形態の主部３２０Ａは、第２方向に延びる長手を有するブロック形状を有している。
【００６０】
図１３及び図１４を参照して、本実施の形態の主部３２０Ａには、３つの凹部３２５Ａと、１つの被挟持部３４０Ａと、２つの保持爪収容部３５０Ａとが設けられている。
【００６１】
図１３を参照して、本実施の形態の凹部３２５Ａの夫々は、前後方向において後方に凹んでいる。凹部３２５Ａの夫々は、前後方向と直交する後壁を有しており、この後壁は位置決め部３３０Ａとして機能する。即ち、本実施の形態の主部３２０Ａには、３つの位置決め部３３０Ａが設けられている。３つの位置決め部３３０Ａの嵌合方向、即ち前後方向における位置は、互いに一致している。３つの位置決め部３３０Ａは、前後方向と直交する基準面を形成している。本実施の形態の舌部３７０は、３つの位置決め部３３０Ａにより形成される基準面と直交している。
【００６２】
図１３に示されるように、本実施の形態の凹部３２５Ａは、１つの第１凹部３２６Ａと、２つの第２凹部３２７とを含んでいる。ここで、本変形例の第２凹部３２７は、上述の実施の形態の保持部材３００の主部３２０の第２凹部３２７と同様であるので、詳細な説明は省略する。第１凹部３２６Ａは、主部３２０Ａの第２方向中央付近であって、主部３２０Ａの前端の上端に設けられている。
【００６３】
図１３に示されるように、本実施の形態の第１凹部３２６Ａは、第１位置決め部３３２Ａを有している。即ち、本実施の形態の位置決め部３３０Ａは、１つの第１位置決め部３３２Ａと、２つの第２位置決め部３３６とを含んでいる。第１位置決め部３３２Ａは、上下方向において、第２位置決め部３３６の夫々の上方に位置している。第１位置決め部３３２Ａは、第２方向において、第２位置決め部３３６の間に位置している。
【００６４】
図１４に示されるように、本実施の形態の被挟持部３４０Ａは、上下方向に延びる略平板形状を有している。即ち、被挟持部３４０Ａは、前後方向において前面及び後面を有している。被挟持部３４０Ａの前面の一部は、第１位置決め部３３２Ａとして機能する。
【００６５】
図１４を参照して、本実施の形態の保持爪収容部３５０Ａの夫々は、上下方向において下方に凹んでおり、主部３２０Ａの第２方向内側に向かって下方に延びる斜面３５２Ａを有している。保持爪収容部３５０Ａの夫々は、前後方向において被挟持部３４０Ａの後方に位置している。
【００６６】
本実施の形態のシェル４００Ａは、金属製であり、図１２から図１５までから理解されるように、前後方向と直交する平面内において、保持部材３００Ａを囲んでいる。
【００６７】
図１２から図１５までに示されるように、本実施の形態のシェル４００Ａは、上下方向の両面を構成する第１面４１０Ａ及び第２面４２０を有している。即ち、第１面４１０Ａは、シェル４００Ａの上面４１０Ａであり、第２面４２０は、シェル４００Ａの下面４２０である。第１面４１０Ａ及び第２面４２０の夫々は、上下方向と直交している。また、本実施の形態のシェル４００Ａの前端は、開口している。即ち、コネクタ１００Ａは、前端に開口部１５０を有している。
【００６８】
図１２から図１５までに示されるように、本実施の形態のシェル４００Ａには、１つの孔４１２Ａと、３つの位置決め突起４５０Ａとが形成されている。また、シェル４００Ａには、継ぎ目４２２と、２つの保持爪４７０Ａと、後壁部４８０とが設けられている。ここで、孔４１２Ａ、位置決め突起４５０Ａ及び保持爪４７０Ａ以外の構成要素は、上述の実施の形態と同じである。従って、同一の構成要素については同一の参照符号を付し、詳細な説明は省略する。
【００６９】
図１２及び図１４から理解されるように、本実施の形態の孔４１２Ａは、シェル４００Ａの第１面４１０Ａに形成されている。即ち、シェル４００Ａの第１面４１０Ａには、１つの孔４１２Ａが形成されている。孔４１２Ａは、シェル４００Ａの表面上において閉じており、且つ、第１方向、即ち上下方向においてシェル４００Ａを貫通している。より詳しくは、孔４１２Ａは、シェル４００Ａの第１面４１０Ａの表面上において閉じており、且つ、上下方向においてシェル４００Ａの第１面４１０Ａを貫通している。また、孔４１２Ａの前後方向内側の縁は、第２方向に延びる略直線形状を有している。
【００７０】
図１３から理解されるように、本実施の形態の位置決め突起４５０Ａの夫々は、シェル４００Ａの内側に向かって突出している。より詳しくは、本実施の形態の位置決め突起４５０Ａは、上下方向においてシェル４００Ａの内側に向かって突出している。嵌合方向、即ち前後方向において、位置決め突起４５０Ａが占める範囲は、互いに重複している。より詳しくは、位置決め突起４５０Ａの嵌合方向、即ち前後方向における位置は、互いに一致している。
【００７１】
図１３及び図１４を参照すると、本実施の形態の位置決め突起４５０Ａは、嵌合方向、即ち前後方向において保持部材３００Ａの主部３２０Ａの凹部３２５Ａの位置決め部３３０Ａに夫々突き当たっている。より詳しくは、３つの位置決め突起４５０Ａの後端と、３つの位置決め部３３０Ａとは、前後方向において同一のＹＺ平面上に位置している。前述のように、舌部３７０は、３つの位置決め部３３０Ａにより形成される基準面と直交しているため、シェル４００Ａ内における保持部材３００Ａの舌部３７０の姿勢は正しく位置決めされている。
【００７２】
図１３を参照すると、本実施の形態の位置決め突起４５０Ａは、１つの第１位置決め突起４５２Ａと、２つの第２位置決め突起４５６とを含んでいる。ここで、本変形例の第２位置決め突起４５６は、上述の実施の形態のシェル４００の第２位置決め突起４５６と同様であるので、詳細な説明は省略する。
【００７３】
図１２及び図１４を参照すると、本実施の形態の第１位置決め突起４５２Ａは、シェル４００Ａの第１面４１０Ａに形成されている。第１位置決め突起４５２Ａは、孔４１２Ａの縁の一部を構成し、且つ、孔４１２Ａに面している。より詳しくは、第１位置決め突起４５２Ａの後側の縁は、孔４１２Ａの前側の縁の一部を構成しており、且つ、孔４１２Ａに面している。本実施の形態の第１位置決め突起４５２Ａは、上下方向において下方に突出している。
【００７４】
図１３及び図１４を参照して、本実施の形態の第１位置決め突起４５２Ａは、前後方向において第１位置決め部３３２Ａに突き当たっている。より具体的には、第１位置決め突起４５２Ａの後端は、前後方向において第１位置決め部３３２Ａに突き当たっている。
【００７５】
図１２から図１５までを参照すると、本実施の形態のコネクタ１００Ａにおいて、シェル４００Ａを単体で見た場合、孔４１２Ａを通して、第２位置決め突起４５６を夫々視認することができる。これにより、位置決め突起４５０Ａの嵌合方向、即ち前後方向における配置のズレを、シェル４００Ａの孔４１２Ａを通して確認することができるようになっている。なお、本発明はこれに限定されず、シェル４００Ａを単体で見た場合、孔４１２Ａを通して、第２位置決め突起４５６のうちの少なくとも１つを視認することができればよい。
【００７６】
図１２及び図１４を参照すると、本実施の形態の保持爪４７０Ａの夫々は、孔４１２Ａの縁から孔４１２Ａ内に延びている。より詳しくは、本実施の形態の保持爪４７０Ａの夫々は、孔４１２Ａの第２方向外側の縁から、孔４１２Ａ内において第２方向内側に延びている。保持爪４７０Ａの第２方向内端は、自由端となっている。保持爪４７０Ａの夫々は、前後方向において第１位置決め突起４５２Ａの後方に位置している。保持爪４７０Ａは、保持部材３００Ａの主部３２０Ａの保持爪収容部３５０Ａと夫々対応している。保持爪４７０Ａの夫々は、上下方向において対応する保持爪収容部３５０Ａの斜面３５２Ａと隙間を空けて対向しており、保持爪４７０Ａの第２方向内端は、対応する保持爪収容部３５０Ａ内に収容されている。
【００７７】
図１４に示されるように、保持部材３００Ａの被挟持部３４０Ａは、嵌合方向、即ち前後方向において保持爪４７０Ａと第１位置決め突起４５２Ａとに挟まれている。より詳しくは、保持部材３００Ａの被挟持部３４０Ａの前面の一部は、前後方向においてシェル４００Ａの第１位置決め突起４５２Ａの後端と接触しており、保持部材３００Ａの被挟持部３４０Ａの後面の一部は、前後方向においてシェル４００Ａの保持爪４７０Ａの夫々の前端と接触している。これにより、シェル４００Ａは保持部材３００Ａに対して、嵌合方向、即ち前後方向に相対移動しないように固定されている。
【００７８】
以上、本発明について、複数の実施の形態を掲げて具体的に説明してきたが、本発明はこれに限定されるわけではなく、種々の変形が可能である。
【００７９】
本実施の形態のコネクタ１００，１００Ａにおいては、嵌合方向を前後方向とし、第１方向を上下方向としていたが、本発明はこれに限定されない。即ち、嵌合方向を上下方向としてもよく、また、第１方向は嵌合方向と直交していればよい。
【００８０】
本実施の形態のコネクタ１００，１００Ａのシェル４００，４００Ａには、２つの保持爪４７０，４７０Ａが設けられていたが、本発明はこれに限定されない。即ち、シェルが保持部材に強固に固定されるのであれば、保持爪は一つであってもよい。
【００８１】
本実施の形態のコネクタ１００，１００Ａのシェル４００，４００Ａの保持爪４７０，４７０Ａは、第１位置決め突起４５２，４５２Ａが面する孔４１２，４１２Ａ内に延びていたが、本発明はこれに限定されない。即ち、第１位置決め突起が面する孔と、保持爪が延びる孔とが、別個独立の孔であってもよい。
【００８２】
本実施の形態のコネクタ１００，１００Ａのコンタクト２００の第１コンタクト２１０及び第２コンタクト２２０は、板状の第１接点部２１２及び第２接点部２２２を有していたが、本発明はこれに限定されない。即ち、第１接点部及び第２接点部は、バネ接点であってもよい。
【００８３】
本変形例のコネクタ１００Ａのシェル４００Ａの第１面４１０Ａには、１つの孔４１２Ａと、１つの第１位置決め突起４５２Ａが設けられていたが、本発明はこれに限定されない。即ち、シェルの第１面に、１つの孔と２つの第１位置決め突起が設けられていてもよい。
【符号の説明】
【００８４】
１００，１００Ａ        コネクタ
１５０                  開口部
２００                  コンタクト
２１０                  第１コンタクト
２１２                  第１接点部
２１４                  第１被固定部
２２０                  第２コンタクト
２２２                  第２接点部
２２４                  第２被固定部
２５０                  ミッドプレート
３００，３００Ａ        保持部材
３２０，３２０Ａ        主部
３２５，３２５Ａ        凹部
３２６，３２６Ａ        第１凹部
３２７                  第２凹部
３３０，３３０Ａ        位置決め部
３３２，３３２Ａ        第１位置決め部
３３６                  第２位置決め部
３４０，３４０Ａ        被挟持部
３５０，３５０Ａ        保持爪収容部
３５２，３５２Ａ        斜面
３７０                  舌部
３７２                  接点露出部
３７４                  接続部
３８０                  脚部
４００，４００Ａ        シェル
４００Ｂ                中間体
４１０，４１０Ａ        第１面（上面）
４１２，４１２Ａ        孔
４２０                  第２面（下面）
４２２                  継ぎ目
４５０，４５０Ａ        位置決め突起
４５２，４５２Ａ        第１位置決め突起
４５６                  第２位置決め突起
４７０，４７０Ａ，４７０Ｂ        保持爪
４８０，４８０Ｂ        後壁部
【図１】
2019067728.tif 000003
【図２】
2019067728.tif 000004
【図３】
2019067728.tif 000005
【図４】
2019067728.tif 000006
【図５】
2019067728.tif 000007
【図６】
2019067728.tif 000008
【図７】
2019067728.tif 000009
【図８】
2019067728.tif 000010
【図９】
2019067728.tif 000011
【図１０】
2019067728.tif 000012
【図１１】
2019067728.tif 000013
【図１２】
2019067728.tif 000014
【図１３】
2019067728.tif 000015
【図１４】
2019067728.tif 000016
【図１５】
2019067728.tif 000017
【図１６】
2019067728.tif 000018
【図１７】
2019067728.tif 000019
【手続補正書】
【提出日】平成30年7月25日(2018.7.25)
【手続補正１】
【補正対象書類名】図面
【補正対象項目名】図１３
【補正方法】変更
【補正の内容】
【図１３】
2019067728.tif 000020
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
嵌合方向に沿って相手側コネクタと嵌合可能なコネクタであって、
前記コネクタは、複数のコンタクトと、保持部材と、シェルとを備えており、
前記保持部材は、前記複数のコンタクトを保持しており、
前記保持部材は、主部と、平板状の舌部とを有しており、
前記主部には、３つ以上の位置決め部が設けられており、
前記舌部は、前記主部から前記嵌合方向に延びており、
前記シェルは、前記嵌合方向と直交する平面内において、前記保持部材を少なくとも部分的に囲んでおり、
前記シェルには、１つの孔と、３つ以上の位置決め突起とが形成されており、
前記孔は、前記シェルの表面上において閉じており、且つ、前記嵌合方向と直交する第１方向において前記シェルを貫通しており、
前記位置決め突起の夫々は、前記シェルの内側に向かって突出しており、
前記嵌合方向において、前記位置決め突起が占める範囲は、互いに重複しており、
前記位置決め突起は、前記嵌合方向において前記位置決め部に夫々突き当たっており、
前記位置決め突起は、１つの第１位置決め突起と、２つの第２位置決め突起とを含んでおり、
前記第１位置決め突起は、前記孔の縁の一部を構成し、且つ、前記孔に面しており、
前記シェルを単体で見た場合、前記孔を通して、前記第２位置決め突起のうちの少なくとも１つを視認することができ、
前記保持部材には、被挟持部が設けられており、
前記シェルには、保持爪が設けられており、
前記保持爪は、前記孔の前記縁から前記孔内に延びており、
前記被挟持部は、前記嵌合方向において前記保持爪と前記第１位置決め突起とに挟まれている
コネクタ。
【請求項２】
請求項１記載のコネクタであって、
前記位置決め突起の前記嵌合方向における位置は、互いに一致している
コネクタ。
【請求項３】
請求項１又は請求項２記載のコネクタであって、
前記シェルは、前記第１方向の両面を構成する第１面及び第２面を有しており、
前記孔及び前記第１位置決め突起の夫々は、前記シェルの前記第１面に形成されており、
前記第２位置決め突起の夫々は、前記シェルの前記第２面に形成されており、
前記シェルの前記第２面は、継ぎ目を有しており、
前記第２位置決め突起は、前記嵌合方向及び前記第１方向の双方と直交する第２方向において前記継ぎ目を挟んで前記継ぎ目の両側に位置しており、
前記シェルを単体で見た場合、前記孔を通して、前記第２位置決め突起の夫々を視認することができる
コネクタ。
【請求項４】
請求項３記載のコネクタであって、
前記シェルの前記第１面には、２つの前記孔が形成されており、
前記位置決め突起は、２つの前記第１位置決め突起を含んでおり、
前記第１位置決め突起の夫々は、前記シェルの前記第１面に形成されており、
前記第１位置決め突起は、夫々、前記孔に面しており、
前記シェルを単体で見た場合、前記孔を通して、前記第２位置決め突起を夫々視認することができる
コネクタ。
【請求項５】
請求項１から請求項４までのいずれかに記載のコネクタであって、
前記嵌合方向は、前後方向であり、
前記第１方向は、上下方向であり、
前記第１面は、上面であり、
前記第２面は、下面である
コネクタ。